(57)【要約】      （修正有）【課題】通水路の中心がシャワーヘッド本体の中心からずれた位置に配置される場合であっても流量を調整するとともに、組立作業を簡略化することが可能なシャワーヘッドを提供する。【解決手段】内部に通水路１２ａが形成されたシャワーヘッド本体１と、通水路を流れる水の流量を調整する流量調整部材２とを備え、通水路の中心は、シャワーヘッド本体の中心からずれた位置に配置されている。流量調整部材は、シャワーヘッド本体に回動可能に設けられた円柱状の軸部２１と、軸部の一方端部に設けられた操作部２２と、軸部の他方端部に設けられ軸部の外径と同等もしくはそれ以下の外径を有する弁部２３とを含み、軸部は、軸心がシャワーヘッド本体の中心と交差するように配置されており、弁部は、軸部の軸心方向から見て半円状に形成されている。操作部を操作して軸部が回動された場合に、弁部が通水路に対して進退することにより、通水路の開口面積が変化する。【選択図】図４
0003193006.tif 000002
【実用新案登録請求の範囲】
【請求項１】
内部に通水路が形成されたシャワーヘッド本体と、
前記通水路を流れる水の流量を調整する流量調整部材とを備え、
前記通水路の中心は、前記シャワーヘッド本体の中心からずれた位置に配置されており、
前記流量調整部材は、前記シャワーヘッド本体に回動可能に設けられた円柱状の軸部と、前記軸部の一方端部に設けられた操作部と、前記軸部の他方端部に設けられ前記軸部の外径と同等もしくはそれ以下の外径を有する弁部とを含み、
前記軸部は、軸心が前記シャワーヘッド本体の中心と交差するように配置され、
前記弁部は、前記軸部の軸心方向から見て半円状または扇状に形成され、
前記流量調整部材は、前記操作部が操作され、前記軸部が回動された場合に、前記弁部が前記通水路に対して進退することにより、前記通水路の開口面積が変化するように構成されていることを特徴とするシャワーヘッド。
【請求項２】
前記シャワーヘッド本体には、前記流量調整部材の一方端部側を覆うように押えカバーが設けられていることを特徴とする請求項１に記載のシャワーヘッド。
【請求項３】
前記弁部は、前記軸部の外径と同等もしくはそれ以下の外径を有する外周面と、その外周面の両端を結ぶ平坦面とを有し、
前記平坦面には、前記軸心方向と直交する方向に延びる溝部が形成されていることを特徴とする請求項１または２に記載のシャワーヘッド。
【請求項４】
前記軸部には２つのＯリングが設けられており、
前記操作部側のＯリングは、前記弁部側のＯリングに比べて線径が小さいことを特徴とする請求項１ないし３のいずれか一に記載のシャワーヘッド。
【考案の詳細な説明】
【技術分野】
【０００１】
本考案は、流量調整機能を有するシャワーヘッドに関する。
【背景技術】
【０００２】
従来、一般家庭やホテルなどの浴室、または温泉、浴場などで使用されるシャワーヘッドにおいて、シャワーヘッド本体に流量調整機構が設けられたシャワーヘッドが知られている（たとえば、特許文献１参照）。
【０００３】
特許文献１のシャワーヘッドでは、シャワーヘッド本体のヘッド部の内部に釣鐘状の弁体が設けられている。弁体には、ヘッド部の外側に突出するように軸部が設けられ、その軸部には、ヘッド部の外側から操作つまみが取り付けられている。このため、操作つまみが回動されることにより、弁体が回動するようになっている。そして、弁体の側壁には、周方向に沿って開口幅が徐々に変化するテーパ状の弁孔が形成され、その弁孔は、通水路に臨むように配置されている。これにより、弁体が回動されると、通水路の開口面積が変化するため、シャワーヘッドから吐出される水の流量が変化するようになっている。
【先行技術文献】
【特許文献】
【０００４】
【特許文献１】登録実用新案第３１８０１０４号公報
【考案の概要】
【考案が解決しようとする課題】
【０００５】
しかしながら、上記した従来のシャワーヘッドでは、組み立てられる際に、ヘッド部の内側に弁体を配置した状態で、ヘッド部の外側に突出している軸部に対し操作つまみを取り付ける必要があることから、ヘッド部に対して内外の両側からの作業が必要であり、組立作業が煩雑であるという問題点がある。
【０００６】
また、従来では、通水路の中心とシャワーヘッド本体の中心とが揃っているものが一般的であったが、近年、設計上の制約などにより、通水路の中心がシャワーヘッド本体の中心からずれた位置に配置される場合がある。そして、このようなシャワーヘッドであっても流量を調整したいという要望がある。
【０００７】
本考案は上記の事情にもとづきなされたもので、通水路の中心がシャワーヘッド本体の中心からずれた位置に配置される場合であっても流量を調整するとともに、組立作業を簡略化することが可能なシャワーヘッドの提供を目的とする。
【課題を解決するための手段】
【０００８】
上記課題を解決するために、請求項１に記載の考案は、内部に通水路が形成されたシャワーヘッド本体と、前記通水路を流れる水の流量を調整する流量調整部材とを備え、前記通水路の中心は、前記シャワーヘッド本体の中心からずれた位置に配置されており、前記流量調整部材は、前記シャワーヘッド本体に回動可能に設けられた円柱状の軸部と、前記軸部の一方端部に設けられた操作部と、前記軸部の他方端部に設けられ前記軸部の外径と同等もしくはそれ以下の外径を有する弁部とを含み、前記軸部は、軸心が前記シャワーヘッド本体の中心と交差するように配置され、前記弁部は、前記軸部の軸心方向から見て半円状または扇状に形成され、前記流量調整部材は、前記操作部が操作され、前記軸部が回動された場合に、前記弁部が前記通水路に対して進退することにより、前記通水路の開口面積が変化するように構成されていることを特徴とするシャワーヘッドである。
【０００９】
請求項２に記載の考案は、前記シャワーヘッド本体には、前記流量調整部材の一方端部側を覆うように押えカバーが設けられていることを特徴とする請求項１に記載のシャワーヘッドである。
【００１０】
請求項３に記載の考案は、前記弁部は、前記軸部の外径と同等もしくはそれ以下の外径を有する外周面と、その外周面の両端を結ぶ平坦面とを有し、前記平坦面には、前記軸心方向と直交する方向に延びる溝部が形成されていることを特徴とする請求項１または２に記載のシャワーヘッドである。
【００１１】
請求項４に記載の考案は、前記軸部には２つのＯリングが設けられており、前記操作部側のＯリングは、前記弁部側のＯリングに比べて線径が小さいことを特徴とする請求項１ないし３のいずれか一に記載のシャワーヘッドである。
【考案の効果】
【００１２】
請求項１に記載の考案によれば、操作部が回動されることにより、シャワーヘッド本体の中心からずれた位置に配置される通水路に対して、半円状または扇状に形成された弁部が進退するので、通水路の中心がシャワーヘッド本体の中心からずれた位置に配置される場合であっても流量を調整することができる。また、流量調整部材の弁部が軸部の外径と同等もしくはそれ以下の外径を有する外周面を有しているから、軸部をシャワーヘッド本体に一方側から挿入して取り付けることができるので、組立作業を簡略化することができる。
【００１３】
請求項２に記載の考案によれば、押えカバーにより、流量調整部材の軸心方向への抜け止めを行うとともに、流量調整部材の回動量を設定することができる。
【００１４】
請求項３に記載の考案によれば、流量調整部材の軸心に通水路が配置されている場合であっても、弁部を通水路から退避させるときに、溝部により弁部を完全に退避させることができる。
【００１５】
請求項４に記載の考案によれば、シャワーヘッド本体に対して流量調整部材の軸心ががたつくのを抑制しながら、弁部側のＯリングにより止水性を確保するとともに、操作部側のＯリングにより操作が重くなり過ぎるのを抑制することができる。
【図面の簡単な説明】
【００１６】
【図１】本考案の一実施形態によるシャワーヘッドの全体構造を示した概略図である。
【図２】図１のシャワーヘッドの背面側を拡大して示した図である。
【図３】図２のシャワーヘッドの流量調整部材を示した斜視図である。
【図４】本実施形態のシャワーヘッドにおいて流量が中程度に設定された状態の断面図である。
【図５】図４のシャワーヘッドをＡ１方向から見た模式図であって、握り部の通水路と流量調整部材との関係を説明するための図である。
【図６】本実施形態のシャワーヘッドにおいて流量が最大に設定された状態の断面図である。
【図７】図６のシャワーヘッドをＡ２方向から見た模式図であって、握り部の通水路と流量調整部材との関係を説明するための図である。
【図８】本実施形態のシャワーヘッドにおいて流量が最小に設定された状態の断面図である。
【図９】図８のシャワーヘッドをＡ３方向から見た模式図であって、握り部の通水路と流量調整部材との関係を説明するための図である。
【考案を実施するための形態】
【００１７】
以下、本考案の一実施形態について図面を参照して説明する。
【００１８】
まず、図１〜図９を参照して、本実施形態によるシャワーヘッド１００について説明する。シャワーヘッド１００は、たとえば、一般家庭やホテルなどの浴室、または温泉、浴場などで使用されるものである。このシャワーヘッド１００は、元栓である水栓５０に接続されており、その水栓５０から供給される水またはお湯など（以下、単に「水」という）を散水（吐水）するように構成されるとともに、その散水される水の流量を調整する流量調整機能を有する。
【００１９】
−構造−
本実施形態のシャワーヘッド１００は、図１に示すように、内部に通水路が形成されたシャワーヘッド本体１と、シャワーヘッド本体１に設けられた流量調整部材２（図２参照）とを備えている。
【００２０】
シャワーヘッド本体１は、たとえば合成樹脂により一体的に形成されるヘッド部１１および握り部１２を有する。ヘッド部１１には、下流側の端部に散水板１１ａが設けられている。散水板１１ａは、多数の小孔を有しており、その小孔から散水するように構成されている。握り部１２は、上流側の端部がホースの通水路５１を介して水栓５０に接続されている。この握り部１２は、円筒状に形成され、内部に通水路１２ａ（図４参照）が形成されている。
【００２１】
ここで、通水路１２ａは、円孔であり、握り部１２に沿って延びるように形成されている。そして、図５に示すように、通水路１２ａの中心Ｃ１は、握り部１２の中心Ｃ２からずれた位置に配置されている。
【００２２】
流量調整部材２は、図２に示すように、握り部１２の背面に設けられており、握り部１２の通水路１２ａを流れる水の流量を調整するために設けられている。すなわち、流量調整部材２は、散水板１１ａからの散水量を利用者が好みに応じて適宜設定するために設けられている。
【００２３】
流量調整部材２は、図３に示すように、円柱状の軸部２１と、軸部２１の一方端部（基端部）に設けられた操作レバー２２と、軸部２１の他方端部（先端部）に設けられた弁部２３とを含んでいる。この流量調整部材２は、ほぼ９０度の角度範囲内で回動可能に設けられており、操作レバー２２が真下を向いた位置からＲ１方向およびＲ２方向（図２参照）にそれぞれほぼ４５度回動させることが可能である。
【００２４】
軸部２１は、図４に示すように、握り部１２に形成された取付孔１２ｂに挿入され、握り部１２に対して回動可能に設けられている。この軸部２１は、図５に示すように、軸心Ｃ３が握り部１２の中心Ｃ２と交差するように配置されている。また、軸部２１の直径は、通水路１２ａの直径よりも大きく、軸部２１の半径は、通水路１２ａの直径よりも小さくなっている。そして、図５の上下方向において通水路１２ａと対応する領域間には、流量調整部材２の軸心Ｃ３および軸部２１の外周面が配置されている。
【００２５】
また、軸部２１には、図４に示すように、Ｏリング２４ａが配置される環状の溝部２１ａが形成されるとともに、Ｏリング２４ｂが配置される環状の溝部２１ｂが形成されている。すなわち、軸部２１には、２つのＯリング２４ａおよび２４ｂが設けられている。
【００２６】
Ｏリング２４ａは、操作レバー２２側に配置され、Ｏリング２４ｂは、弁部２３側に配置されている。そして、Ｏリング２４ａは、Ｏリング２４ｂに比べて線径（太さ）が小さくなっている。具体的には、Ｏリング２４ａの線径は、取付孔１２ｂの内周面と溝部２１ａの底面との間隔（クリアランス）に対して１．１〜１．２倍程度に設定され、Ｏリング２４ｂの線径は、取付孔１２ｂの内周面と溝部２１ｂの底面との間隔に対して１．３倍程度に設定されている。したがって、操作レバー２２側のＯリング２４ａは、弁部２３側のＯリング２４ｂに比べて、つぶししろが小さいことから、緊迫力が小さくなっている。
【００２７】
操作レバー（操作部）２２は、軸部２１の軸心方向と直交する方向に延びるように形成され、握り部１２の外周面に沿って配置されている。この操作レバー２２は、利用者が流量調整部材２を操作するために設けられている。また、操作レバー２２の上側には、板状部２２ａが形成されている。そして、板状部２２ａは握り部１２の外周面に沿って配置され、その板状部２２ａを覆うように押えカバー３が設けられている。すなわち、押えカバー３は、流量調整部材２の一方端部側の上側を覆うように設けられている。この押えカバー３は、操作レバー２２がＲ１方向およびＲ２方向に操作された場合にその操作レバー２２が当接されることによって流量調整部材２の回動量を設定するとともに、流量調整部材２の抜け止めを防止する機能を有する。
【００２８】
弁部２３は、握り部１２の通水路１２ａの側方に配置され、その通水路１２ａに対して進退可能に設けられている。この弁部２３は、軸心方向から見て半円状に形成されており、軸部２１の外径と同等もしくはそれ以下の外径を有する半円弧状の外周面２３ａと、外周面２３ａの両端を結ぶ平坦面２３ｂとを有する。すなわち、弁部２３は、軸部２１の先端の半分が切り欠かれるようにして形成されている。このため、軸部２１の外周面と弁部２３の外周面２３ａとは連なるようになっている。平坦面２３ｂには、軸心方向と直交する方向に延びる溝部２３ｃが形成されている。溝部２３ｃは、断面が円弧状に形成されており、その曲率が通水路１２ａとほぼ同じになるように形成されている。
【００２９】
−動作−
次に、シャワーヘッド１００における流量調整時の動作について説明する。
【００３０】
まず、操作レバー２２（図２参照）が真下を向いている場合には、図４および図５に示すように、通水路１２ａに対する弁部２３の平坦面２３ｂの角度がほぼ４５度であり、弁部２３が通水路１２ａの中心Ｃ１近傍まで進出されている。これにより、通水路１２ａの開口面積がほぼ半分になり、水の流量が中程度に設定される。なお、通水路１２ａを流れる水はＡ１方向とは反対方向に流れる。
【００３１】
そして、操作レバー２２が真下を向いた状態からＲ１方向（図２参照）にほぼ４５度回動されると、図６および図７に示すように、通水路１２ａに対する弁部２３の平坦面２３ｂの角度がほぼ０度になり、弁部２３が通水路１２ａから退避される。このとき、平坦面２３ｂの溝部２３ｃにより、通水路１２ａに弁部２３が配置されないようになっている。これにより、通水路１２ａの開口面積が最大になり、水の流量が最大に設定される。
【００３２】
その一方、操作レバー２２が真下を向いた状態からＲ２方向（図２参照）にほぼ４５度回動されると、図８および図９に示すように、通水路１２ａに対する弁部２３の平坦面２３ｂの角度がほぼ９０度になり、弁部２３が通水路１２ａに対して最も進出する。なお、このとき、通水路１２ａの一部分Ｐには弁部２３が配置されていない。これにより、通水路１２ａの開口面積が最少になり、水の流量が最少に設定される。
【００３３】
このように、本実施形態のシャワーヘッド１００は、操作レバー２２が操作され、軸部２１が回動される場合に、弁部２３が通水路１２ａに対して進退することによって、通水路１２ａの開口面積が連続的に変化するように構成されている。
【００３４】
−組立方法−
そして、このシャワーヘッド１００を組み立てる際には、まず、流量調整部材２の溝部２１ａおよび２１ｂにそれぞれＯリング２４ａおよび２４ｂが取り付けられる。そして、その流量調整部材２がシャワーヘッド本体１の取付孔１２ｂに挿入される。その後、流量調整部材２の一方端部側を覆うように、シャワーヘッド本体１に押えカバー３が取り付けられる。
【００３５】
−効果−
本実施形態では、上記のように、軸部２１の基端に操作レバー２２を形成するとともに、軸部２１の先端に半円状の弁部２３を形成することによって、操作レバー２２が回動されることにより、握り部１２の中心Ｃ２からずれた位置に配置される通水路１２ａに対して、半円状の弁部２３が進退するので、通水路１２ａの中心Ｃ１が握り部１２の中心Ｃ２からずれた位置に配置される場合であっても流量を調整することができる。また、流量調整部材２の弁部２３が軸部２１の外径と同等もしくはそれ以下の外径の範囲に形成されていることから、握り部１２の外側より軸部２１をシャワーヘッド本体１の取付孔１２ｂに挿入して取り付けることができるので、組立作業を簡略化することができる。
【００３６】
また、本実施形態では、流量調整部材２の一方端部側を覆う押えカバー３を設けることによって、流量調整部材２の軸心方向への抜け止めを行うとともに、流量調整部材２の回動量を設定することができる。
【００３７】
また、本実施形態では、弁部２３の平坦面２３ｂに溝部２３ｃを形成することによって、流量調整部材２の軸心Ｃ３に通水路１２ａが配置されている場合であっても、弁部２３を通水路１２ａから退避させるときに、溝部２３ｃにより弁部２３を完全に退避させることができる。
【００３８】
また、本実施形態では、２つのＯリング２４ａおよび２４ｂを設けることによって、シャワーヘッド本体１の握り部１２に対して流量調整部材２を安定した状態で組み付けることができる。これにより、流量調整部材２が回動する際に、流量調整部材２の軸心Ｃ３ががたつくのを抑制することができる。
【００３９】
また、本実施形態では、操作レバー２２側のＯリング２４ａは、弁部２３側のＯリング２４ｂに比べて線径が小さいことによって、流量調整部材２の軸心Ｃ３ががたつくのを抑制しながら、弁部２３側のＯリング２４ｂにより止水性を確保するとともに、操作レバー２２側のＯリング２４ａによりレバー操作が重くなり過ぎるのを抑制することができる。
【００４０】
−他の実施形態−
なお、今回開示した実施形態は、すべての点で例示であって、限定的な解釈の根拠となるものではない。したがって、本考案の技術的範囲は、上記した実施形態のみによって解釈されるものではなく、実用新案登録請求の範囲の記載に基づいて画定される。また、本考案の技術的範囲には、実用新案登録請求の範囲と均等の意味および範囲内でのすべての変更が含まれる。
【００４１】
たとえば、本実施形態では、流量調整部材２が通水路１２ａを完全に閉塞しない例を示したが、これに限らず、流量調整部材が通水路を完全に閉塞するようにしてもよい。
【００４２】
また、本実施形態では、通水路１２ａの直径が、軸部２１の直径よりも小さく、かつ、軸部２１の半径よりも大きい例を示したが、これに限らず、通水路の直径が軸部の半径と同じ長さであってもよい。この場合に、通水路が軸部の軸心と外周面との間に配置されていてもよい。
【００４３】
また、本実施形態では、弁部２３が軸心方向から見て半円状に形成される例を示したが、これに限らず、弁部が軸心方向から見て扇状に形成されていてもよい。また、本実施形態における半円状の弁部２３には、弓状の弁部が含まれる。
【００４４】
また、本実施形態では、軸部２１の一方端部に操作レバー２２が設けられる例を示したが、これに限らず、軸部の一方端部に操作つまみが設けられていてもよい。
【符号の説明】
【００４５】
１００・・シャワーヘッド
１・・・・シャワーヘッド本体
１１・・・ヘッド部
１１ａ・・散水板
１２・・・握り部
１２ａ・・通水路
１２ｂ・・取付孔
２・・・・流量調整部材
２１・・・軸部
２１ａ・・溝部
２１ｂ・・溝部
２２・・・操作レバー（操作部）
２２ａ・・板状部
２３・・・弁部
２３ａ・・外周面
２３ｂ・・平坦面
２３ｃ・・溝部
２４ａ・・Ｏリング
２４ｂ・・Ｏリング
３・・・・押えカバー
５０・・・水栓
５１・・・通水路
Ｃ１・・・通水路の中心
Ｃ２・・・握り部の中心
Ｃ３・・・流量調整部材の軸心
【図１】
0003193006.tif 000003
【図２】
0003193006.tif 000004
【図３】
0003193006.tif 000005
【図４】
0003193006.tif 000006
【図５】
0003193006.tif 000007
【図６】
0003193006.tif 000008
【図７】
0003193006.tif 000009
【図８】
0003193006.tif 000010
【図９】
0003193006.tif 000011